(57)【要約】【課題】監視カメラの画像や音声入出力、操作手段、操作時間等を利用者ごとに設定・実行することができる監視カメラ制御装置を提供すること。【解決手段】撮像カメラ部と、音声入出力部と、記憶部と、通信部と、制御部と、で構成される監視カメラ装置と、前記監視カメラ装置から送られてきた画像を表示する表示部と、前記監視カメラ装置から送られてきた音声を出力したり音声を入力したりするための音声入出力部と、前記監視カメラ装置と通信を行う通信部と、前記監視カメラ装置を操作するための操作部と、で構成される監視モニタ装置において、前記監視モニタ装置の操作者の権限に応じて前記記憶部に記録された音声を切り替えて前記音声入出力部から出力を行うことを制御することが可能な制御部を有することを特徴とする。【選択図】図２
2007019915.tif 000002
【特許請求の範囲】
【請求項１】
撮像カメラ部と、音声入出力部と、記憶部と、通信部と、制御部と、で構成される監視カメラ装置と、前記監視カメラ装置から送られてきた画像を表示する表示部と、前記監視カメラ装置から送られてきた音声を出力したり音声を入力したりするための音声入出力部と、前記監視カメラ装置と通信を行う通信部と、前記監視カメラ装置を操作するための操作部と、で構成される監視モニタ装置において、
前記監視モニタ装置の操作者の権限に応じて前記記憶部に記録された音声を切り替えて前記音声入出力部から出力を行うことを制御することが可能な制御部を有することを特徴とする監視カメラ制御装置。
【請求項２】
前記制御部は時計を有し、前記監視モニタ装置の利用者の権限と時刻に応じて、前記記憶部に記録された音声を切り替えて前記音声入出力部から出力を行うことを制御することが可能な請求項１記載の監視カメラ制御装置。
【請求項３】
前記監視モニタ装置の利用者の権限と、前記監視カメラ装置の前記撮像カメラ部が撮影している撮像位置や望遠倍率等の前記撮像カメラ部の動作状態と、に応じて前記記憶部に記録された音声を切り替えて前記音声入出力部から出力を行うことを制御することが可能な請求項２記載の監視カメラ制御装置。
【発明の詳細な説明】
【技術分野】
【０００１】
本発明は、音声入出力可能な監視カメラ制御装置に関する。
【背景技術】
【０００２】
近年のセキュリティーに対する関心と共に監視カメラの性能も以前とは比べものにならないほど向上しているだけではなく、監視カメラの用途も業務用の警備用途から個人向けへのモニタリング用途へと監視カメラの裾野が広がり始めている。
【０００３】
又、ネットワークの普及により、従来までは監視カメラ１台に対して監視モニタ１台の１：１の接続であったのが、監視カメラ１台に対して監視モニタ複数台の１：ｎの接続が可能となり、監視カメラ複数台に対して監視モニタ複数台のｎ：ｎの接続も可能となった。
【０００４】
更に、監視カメラは、以前は白黒画像のみを伝送するだけだったのが、カラー画像を伝送するようになり音声や位置情報といった画像情報以外の情報も伝送できるようになってきた（例えば、特許文献１参照）。
【特許文献１】特開２０００−０９９８６４号公報
【発明の開示】
【発明が解決しようとする課題】
【０００５】
従来の１：ｎやｎ：ｎの接続を行っている監視カメラでは、利用者に応じた監視画像の提供を行うものもあるが、利用者の監視カメラの操作に関する制約は監視カメラが捉えることが可能な画像にのみ限られていた。
【０００６】
本発明は、監視カメラの画像や音声入出力、操作手段、操作時間等を利用者ごとに設定・実行することができる監視カメラ制御装置を提供することを目的とする。
【課題を解決するための手段】
【０００７】
上記目的を達成するため、本発明は、撮像カメラ部と、音声入出力部と、記憶部と、通信部と、制御部と、で構成される監視カメラ装置と、前記監視カメラ装置から送られてきた画像を表示する表示部と、前記監視カメラ装置から送られてきた音声を出力したり音声を入力したりするための音声入出力部と、前記監視カメラ装置と通信を行う通信部と、前記監視カメラ装置を操作するための操作部と、で構成される監視モニタ装置において、
前記監視モニタ装置の操作者の権限に応じて前記記憶部に記録された音声を切り替えて前記音声入出力部から出力を行うことを制御することが可能な制御部を有することを特徴とする。
【発明の効果】
【０００８】
本発明によれば、音声の入出力が可能な監視カメラ装置と、監視カメラからの情報を表示する監視モニタ装置の組において、監視モニタ装置の利用者の権限に応じて監視カメラ装置からの音声出力を行うことができるようにしたため、利用者の権限に応じて異なる音声出力や操作制限を設けることが可能となる。
【０００９】
又、監視モニタ装置の利用者の権限と時刻の組み合わせに応じて監視カメラ装置からの音声出力を行うことができる。
【００１０】
更に、監視カメラ装置が撮影方向を変更できる場合、監視モニタ装置の利用者の権限とカメラの撮影方向に応じて、監視カメラ装置からの音声出力を行うことができる。
【発明を実施するための最良の形態】
【００１１】
以下に本発明の実施の形態を添付図面に基づいて説明する。
【００１２】
＜実施の形態１＞
本発明の実施の形態１を図１〜図２に基づいて説明する。
【００１３】
図１は本発明の構成図を表したものである。
【００１４】
監視カメラ装置１１０は、カメラ部１１１、制御部１１２、通信部１１３、音声入出力部１１４、音声記憶部１１５で構成され、監視モニタ装置１２０は、通信部１２１、制御部１２２、表示部１２３、操作部１２４、音声入出力部１２５で構成されている。
【００１５】
図２は本発明における監視カメラ装置と監視モニタ装置の処理の流れを表した図であり、図１と図２を用いて本発明の処理の流れを以下に説明する。
【００１６】
先ず、監視モニタ装置１２０の利用者は、操作したい監視カメラ装置１１０に対して通信部１２１を経由してユーザ認証Ｓ２０１を行う。
【００１７】
監視カメラ装置１１０の制御部１１２は、通信部１１３で受信した監視モニタ装置からのユーザ認証要求Ｓ２０１に対してユーザが利用権限を有しているかどうかを確認し、ユーザに権限を付与Ｓ２０２した後、カメラ部１１１で撮影した画像の送信Ｓ２０３を開始する。
【００１８】
監視モニタ装置１２０は、監視カメラ装置１１０からの画像送信Ｓ２０３を通信部１２１で受信すると、順次表示部１２３を用いて画像表示Ｓ２０４を実行する。
【００１９】
監視モニタ装置１２０の利用者は、監視カメラ装置１１０から送られてくる画像を見て、例えば花壇を荒らしに来た猫を発見したとき猫に対して警告音を発するために、利用者は操作部１２４を操作して音声出力命令Ｓ２０５を監視カメラ装置１１０に対して実行する。
【００２０】
監視カメラ装置１１０は、音声出力命令Ｓ２０５を受信すると、警告音を発する権限を持っているかどうかを確認し、権限を有していると判断した場合は音声記憶部１１５から音声データを取り出して音声入出力部１１４に音声データ出力Ｓ２０６を実行する。
【００２１】
もし、利用者が警告音を発する権限を持っていない場合は、監視カメラ装置１１０は何も実行を行わず、そのまま画像送信Ｓ２０３だけを続ける。
【００２２】
又、監視カメラ装置１１０に設定を行う権限を有する利用者は、予め音声を監視カメラ装置１１０に記憶させておくことができる。
【００２３】
利用者は、監視モニタ装置の操作部を操作して、音声入出力部１２５を用いて音声を入力する。
【００２４】
音声入出力部１２５に入力された音声データは、通信部１２１と通信部１１３を経由して監視カメラ装置１１０の制御部１１２に渡され、制御部１１２は設定権限を持つ利用者から送られてきたデータであることを確認した後、音声記録部１１５に送られてきた音声データを保存する。
【００２５】
又、設定権限を有する利用者は、監視モニタ装置１２０を用いて監視カメラ装置１１０の音声記憶部１１５に記録されている音声データを編集したり削除したりすることができる。
【００２６】
但し、利用者が音声記憶部１１５に記録されている全ての音声データを編集できるとは限らず、編集作業が可能な権限が付与されている音声データのみを編集・削除することができる。
【００２７】
これにより、監視カメラ装置において利用者の権限に応じた音声出力を行うことが可能となる。
【００２８】
＜実施の形態２＞
実施の形態１を応用した本発明の実施の形態２を図３及び図４を用いて説明する。
【００２９】
図３は本実施の形態の構成図である。
【００３０】
監視カメラ装置３１０は、カメラ部３１１、制御部３１２、通信部３１３、音声入出力部３１４、音声記憶部３１５、時計部３１６で構成され、カメラ部３１１は、撮像範囲や望遠倍率を変えることができる機能を有しており、監視モニタ装置３２０は、通信部３２１、制御部３２２、表示部３２３、操作部３２４、音声入出力部３２５で構成される。
【００３１】
図４は監視モニタ装置３２０から音声出力命令が発信された際の、監視カメラ装置３１０の制御部３１２における処理の流れ図である。
【００３２】
先ず、制御部３１２は通信部３１３から渡された音声出力命令を受信Ｓ４０１し、音声出力命令を送ってきた監視モニタ装置の利用者が音声出力可能な権限を有しているかどうかを確認Ｓ４０２する。
【００３３】
制御部３１２は、音声出力可能な権限を有していると判断した場合、時刻部３１６から現在時刻を入手して時刻確認Ｓ４０３を行い、現在時刻に指定された音声データを出力して良いかどうかを判別する。
【００３４】
制御部３１２は、音声データを出力して良いと判別した場合は次に現在カメラ部３１１が撮影している撮影範囲に向けて音声データを出力して良いかどうかの確認Ｓ４０４を行う。
【００３５】
制御部３１２は、カメラ部３１１が撮影している撮影範囲内で指定された音声データを出力して良いと判断した場合は、音声データを出力して良い望遠倍率になっているかどうかを確認Ｓ４０５し、全ての条件が揃っていると判断した結果、指定された音声の出力Ｓ４０６を実行する。
【００３６】
もし、権限確認Ｓ４０２、時刻確認Ｓ４０３、撮影範囲確認Ｓ４０４、望遠倍率確認Ｓ４０５の何れかが非適合であると制御部３１２が判断した場合は、指定された音声データの出力は行われず、命令受信Ｓ４０１を待つ状態に戻る。
【００３７】
これにより、ユーザ権限だけではなく時刻や撮影範囲等のパラメータによって音声出力に対する制約を設けることができ、例えば深夜には音声出力は行わない設定や、玄関の入り口を撮影しているときだけ「いらっしゃいませ」といったような音声データを出力できるようにする等といった活用を行うことができるようになる。
【００３８】
尚、本発明は上記の実施の形態に限定されず、この発明を逸脱しない範囲内において種々変形応用可能である。
【００３９】
例えば、複数の監視モニタ装置の利用者が共に音声データに対して利用可能な権限を有し同時に監視カメラ装置を利用している場合、利用者に音声データの出力を行える優先順位を付与しておき、優先順位の高い利用者から音声データの出力が行えるようにすることは、本発明の範疇にあることは勿論である。
【００４０】
又、例えば、利用者が時刻だけではなく一定期間の間に音声データを出力できる回数を制限する設定ができるようにすること等も本発明の範疇にあることは勿論である。
【図面の簡単な説明】
【００４１】
【図１】本発明の実施の形態１における構成図である。
【図２】本発明の実施の形態１における処理の流れ図である。
【図３】本発明の実施の形態２における構成図である。
【図４】本発明の実施の形態２における制御部の処理の流れ図である。
【符号の説明】
【００４２】
１１０    監視カメラ装置
１１１    カメラ部
１１２    制御部
１１３    通信部
１１４    音声入出力部
１１５    音声記憶部
１２０    監視モニタ装置
１２１    通信部
１２２    制御部
１２３    表示部
１２４    操作部
１２５    音声入出力部
３１６    時計部
【図１】
2007019915.tif 000003
【図２】
2007019915.tif 000004
【図３】
2007019915.tif 000005
【図４】
2007019915.tif 000006